(57)【要約】【課題】コンテンツに複数の詳細イベントが含まれている場合に、詳細イベント毎に情報を処理可能とする。【解決手段】受信装置（３）は、コンテンツの映像データ、メタデータ等を受信する受信部（９）と、メタデータから詳細イベント情報を抽出する抽出部（１０）と、コンテンツを、部分コンテンツ毎に録画し、抽出した詳細イベント情報のうち、録画対象の部分コンテンツの情報を記録する記録部（１３）と、を備えている。【選択図】図１
2018129703.tif 000002
【特許請求の範囲】
【請求項１】
コンテンツの映像データと、メタデータとを含むデータストリームを受信する受信部と、
上記メタデータから上記コンテンツの詳細イベント情報を抽出する抽出部と、
上記コンテンツを、イベントＩＤ又はサブイベントＩＤによって指定される部分コンテンツ毎に録画する録画部と、
上記抽出部が抽出した詳細イベント情報のうち、上記録画部による録画の対象となっている部分コンテンツに関連付いた情報を記録する詳細イベント情報記録部と、
を備えていることを特徴とする受信装置。
【請求項２】
上記抽出部が抽出した詳細イベント情報をユーザに提示する提示部
を更に備えていることを特徴とする請求項１に記載の受信装置。
【請求項３】
上記抽出部は、上記メタデータにおけるEvent Message Tableから、上記コンテンツの詳細イベント情報を抽出する、
ことを特徴とする請求項１または２に記載の受信装置。
【請求項４】
上記詳細イベント情報記録部に記録されている過去の詳細イベント情報と、上記抽出部が抽出した現在の詳細イベント情報とを比較する比較部を備え、
上記提示部は、詳細イベント情報のうち、更新された箇所を強調表示する、
ことを特徴とする請求項２に記載の受信装置。
【請求項５】
上記詳細イベント情報には、上記コンテンツのサービスＩＤ、イベントＩＤ、サブイベントＩＤ、詳細イベント名、開始時刻、終了時刻、及び放送時間の長さの少なくとも何れかの情報が含まれている、
ことを特徴とする請求項１から４の何れか１項に記載の受信装置。
【請求項６】
請求項１から５の何れか１項に記載の受信装置を備えていることを特徴とするテレビジョン受像機。
【請求項７】
受信装置による受信方法であって、
コンテンツの映像データと、メタデータとを含むデータストリームを受信する受信工程と、
上記メタデータから上記コンテンツの詳細イベント情報を抽出する抽出工程と、
上記コンテンツを、イベントＩＤ又はサブイベントＩＤによって指定される部分コンテンツ毎に録画する録画工程と、
上記抽出工程で抽出した詳細イベント情報のうち、上記録画工程における録画の対象となっている部分コンテンツに関連付いた情報を記録する詳細イベント情報記録工程と、
を含むことを特徴とする受信方法。
【請求項８】
コンテンツの映像データ、及びメタデータを含むデータストリームを生成する生成部、並びに上記生成部が生成したデータストリームを送出する送出部、を備えた送出装置と、上記送出装置が送出した上記データストリームを受信する受信部を備えた受信装置と、を含む送受信システムであって、
上記生成部は、上記メタデータに、上記コンテンツの詳細イベント情報を含ませ、
上記受信装置は、上記メタデータから上記コンテンツの詳細イベント情報を抽出する抽出部と、上記コンテンツを、イベントＩＤ又はサブイベントＩＤによって指定される部分コンテンツ毎に録画する録画部と、上記抽出部が抽出した詳細イベント情報のうち、上記録画部による録画の対象となっている部分コンテンツに関連付いた情報を記録する詳細イベント情報記録部と、をさらに備えている、
ことを特徴とする送受信システム。
【請求項９】
請求項１に記載の受信装置としてコンピュータを機能させるための制御プログラムであって、上記受信部、上記抽出部、上記録画部、及び、上記詳細イベント情報記録部としてコンピュータを機能させるための制御プログラム。
【請求項１０】
請求項９に記載の制御プログラムを記録したコンピュータ読み取り可能な記録媒体。
【発明の詳細な説明】
【技術分野】
【０００１】
本発明は、主に、データストリームを受信する受信装置と、その受信装置を含む送受信システムとに関する。
【背景技術】
【０００２】
視聴者が各チャンネル（サービス）で提供される番組（イベント）を総合的に俯瞰する仕組みの例として、電子番組表（ＥＰＧ（Electric Program Guide））が挙げられる。ＥＰＧは、放送波に重畳して伝送されるＥＩＴ（Event Information Table）を基本に構成される。
【０００３】
ＥＩＴの種類には、２種類あり、局毎の情報が含まれる各局ＥＩＴ（例えば、高度ＢＳ放送及び地上デジタル放送におけるＥＩＴ）と、全局の情報が含まれる全局ＥＩＴ（例えば、既存のＢＳ放送におけるＥＩＴ）とがある。また、ＥＩＴの更新は、基本的に、１日に１回、ＡＭ０時の更新である。運用規程上、ＡＭ０時以外での更新情報の送信については、更新情報の差分情報の送信が推奨されており、頻繁な更新は推奨されていない。
【０００４】
そして、ＥＩＴでは、以下の（ａ）及び（ｂ）のような課題がある。
【０００５】
（ａ）ＥＩＴの更新時間の間隔は長いため、生放送が中心となる長時間番組における柔軟な番組編成変更に対応しづらい。
【０００６】
（ｂ）全局ＥＩＴでは、ＥＩＴを更新した場合、視聴中の番組についての情報以外の無駄な情報も取得してしまうことになる。
【０００７】
ＥＭＴ（Event Message Table）を用いれば、放送事業者独自の高い自由度のもとで、詳細なイベント情報を、よりリアルタイム性高く伝送することが可能となる。
【０００８】
ただし、ＥＭＴは、一過性のデータとして処理されるため、保存することが想定されていない。また、ＥＭＴはサービス毎に独立したデータであるため、他サービスが選局された場合には、先に選局されていたサービスに関するＥＭＴは消失する。
【先行技術文献】
【特許文献】
【０００９】
【特許文献１】特開２００６−３３９８０１号公報（２００６年１２月１４日公開）
【発明の概要】
【発明が解決しようとする課題】
【００１０】
しかし、オリンピックの中継又は２４時間放送の番組等の長時間放送番組（１つのevent_idの中に複数の競技又は複数のコーナーが含まれる放送）において、視聴者が、番組内の個々の競技又は個々のコーナー等について、その詳細情報（各競技の中継予定スケジュール等）を把握する場合、以下のような問題がある。
【００１１】
例えば、各局ＥＩＴでは、視聴中の局以外の他局の更新情報をリアルタイムに取得できない。また、全局ＥＩＴでは、上述の通り、ＥＩＴを更新した場合、視聴中の番組についての情報以外の情報も取得してしまう。そのため、特定の局の特定の番組における各コーナーについての情報をリアルタイムで取得するために、ＥＩＴを頻繁に更新した場合、不要な情報も更新してしまう。
【００１２】
また、ＥＭＴでは、各局で独立したデータ（ＣＨ１のＥＭＴをＣＨ２の放送波では受信できない）であるため、各局ＥＩＴと同様に、視聴中の局以外の他局の更新情報を取得できない。
【００１３】
上記の各局ＥＩＴ、全局ＥＩＴ及びＥＭＴにおける各課題を要約すると、オリンピックの中継又は２４時間放送の番組等の長時間放送番組（１つのevent_idの中に複数の競技又は複数のコーナーが含まれる放送）において、番組内の個々の競技又は個別コーナー等について、その詳細情報（各競技の中継予定スケジュール等）を把握することは困難であった。そして、特に、視聴者が、オリンピック中継等の、複数の局でそれぞれ中継される競技のスケジュールを、総合的に俯瞰する手段は、デジタルテレビ放送システムの中で提供されていない。
【００１４】
このような番組を録画した場合、アナログのビデオテープと同様に、各詳細イベントの記録位置を管理する手段がないため、所望の詳細イベントへの頭出しが困難であった。また、オリンピック中継のように、放送中の番組が複数の詳細イベントを含んでいる場合、その時点で録画対象でないイベントに関するＥＭＴデータ、詳細イベント情報も記録されてしまう。
【００１５】
特許文献１には、録画時に時間監視を必要とせず、録画後に録画コンテンツを所望の単位で容易に切り分けることのできる録画済コンテンツ編集装置が開示されている。ただし、この技術は、録画済コンテンツを、録画時の情報とは別に用意した編集情報を用いて分割するものであり、上記問題点を解決するものではない。
【００１６】
本発明の一態様は、上記の問題点に鑑みてなされたものであり、その主たる目的は、コンテンツに複数の詳細イベントが含まれている場合に、詳細イベント毎に情報を処理可能とすることにある。
【課題を解決するための手段】
【００１７】
上記の課題を解決するために、本発明の一態様に係る受信装置は、コンテンツの映像データと、メタデータとを含むデータストリームを受信する受信部と、上記メタデータから上記コンテンツの詳細イベント情報を抽出する抽出部と、上記コンテンツを、イベントＩＤ又はサブイベントＩＤによって指定される部分コンテンツ毎に録画する録画部と、上記抽出部が抽出した詳細イベント情報のうち、上記録画部による録画の対象となっている部分コンテンツに関連付いた情報を記録する詳細イベント情報記録部と、を備えている。
【００１８】
上記の課題を解決するために、本発明の一態様に係る受信方法は、受信装置による受信方法であって、コンテンツの映像データと、メタデータとを含むデータストリームを受信する受信工程と、上記メタデータから上記コンテンツの詳細イベント情報を抽出する抽出工程と、上記コンテンツを、イベントＩＤ又はサブイベントＩＤによって指定される部分コンテンツ毎に録画する録画工程と、上記抽出工程で抽出した詳細イベント情報のうち、上記録画工程における録画の対象となっている部分コンテンツに関連付いた情報を記録する詳細イベント情報記録工程と、を含む。
【００１９】
上記の課題を解決するために、本発明の一態様に係る送受信システムは、コンテンツの映像データ、及びメタデータを含むデータストリームを生成する生成部、並びに上記生成部が生成したデータストリームを送出する送出部、を備えた送出装置と、上記送出装置が送出した上記データストリームを受信する受信部を備えた受信装置と、を含む送受信システムであって、上記生成部が、上記メタデータに、上記コンテンツの詳細イベント情報を含ませ、上記受信装置が、上記メタデータから上記コンテンツの詳細イベント情報を抽出する抽出部と、上記コンテンツを、イベントＩＤ又はサブイベントＩＤによって指定される部分コンテンツ毎に録画する録画部と、上記抽出部が抽出した詳細イベント情報のうち、上記録画部による録画の対象となっている部分コンテンツに関連付いた情報を記録する詳細イベント情報記録部と、をさらに備えている。
【発明の効果】
【００２０】
本発明の一態様によれば、コンテンツに複数の詳細イベントが含まれている場合に、詳細イベント毎に情報を処理することができる。
【図面の簡単な説明】
【００２１】
【図１】本発明の実施形態１に係る受信装置を備えているテレビジョン受像機の構成を示すブロック図である。
【図２】本発明の実施形態１に係る受信装置を備えているテレビジョン受像機の外観を示す正面図である。
【図３】本発明の実施形態１に係る受信装置による受信方法を説明するフローチャートである。
【図４】（ａ）は、ＥＭＴのデータ構造の例を示す図である。（ｂ）は、（ａ）のＥＭＴのデータ構造に含まれるＥｖｅｎｔ＿Ｍｅｓｓａｇｅ＿Ｄｅｓｃｒｉｐｔｏｒの例を示す図である。
【図５】図４の（ｂ）のＥｖｅｎｔ＿Ｍｅｓｓａｇｅ＿Ｄｅｓｃｒｉｐｔｏｒに含まれるｐｒｉｖａｔｅ＿ｄａｔａ＿ｂｙｔｅの例を示す図である。
【図６】チャプタリストのデータ構造の例を示す図である。
【図７】チャプタリスト表示の具体例を示す図である。
【図８】録画番組再生時の表示の具体例を示す図である。
【図９】（ａ）は、他サービスの詳細イベント情報を別に表示する例を示す。（ｂ）は、他サービスの詳細イベント情報を重ねて表示する例を示す。
【図１０】本発明の実施形態２に係る送受信システムの構成を示すブロック図である。
【図１１】本発明の実施形態２に係る送受信システムが含む送出装置による送出方法を説明するフローチャートである。
【発明を実施するための形態】
【００２２】
〔実施形態１〕
以下、本発明の実施の形態について、詳細に説明する。
【００２３】
（テレビジョン受像機１）
本実施形態に係る受信装置３を備えているテレビジョン受像機１について、図面を参照して説明する。図１は、テレビジョン受像機１の構成を示すブロック図である。また、図２は、テレビジョン受像機１の外観を示す正面図である。図１が示すように、テレビジョン受像機１は、アンテナ２、受信装置３、映像／音声デコード部４、映像信号／ＯＳＤ合成部５、音声信号合成部６、映像出力部７（請求項における表示部）、及び音声出力部８を備えている。
【００２４】
アンテナ２は、外部から、コンテンツの映像データと、メタデータとを含むデータストリーム（放送波）を受信する。
【００２５】
受信装置３は、アンテナ２が受信したデータストリームを取得し、当該データストリームを参照して、映像データと、音声データと、メタデータとを分離（逆多重化）する。また、受信装置３は、当該メタデータが含むコンテンツの詳細イベント情報を抽出し、当該詳細イベント情報を参照して、ユーザへの提示用画像を生成する。なお、本明細書における詳細イベント情報とは、コンテンツの個々の競技又は個々のコーナーに関する詳細な情報を示す。当該情報の具体例は後述する。
【００２６】
映像／音声デコード部４は、受信装置３が分離した映像データ及び音声データをそれぞれ復号化する。
【００２７】
映像信号／ＯＳＤ合成部５は、映像／音声デコード部４が復号化した映像データと、受信装置３が生成した提示用画像とを合成する。
【００２８】
音声信号合成部６は、映像／音声デコード部４が復号化した音声信号に、視聴者に通知を知らせる音声信号などの、各種の音声信号を合成する。音声信号の例としては、速報チャイム、ボタン操作音、及び警報音などの音声信号が挙げられる。
【００２９】
映像出力部７は、映像信号／ＯＳＤ合成部５が合成した合成画像（静止画像及び動画像を含む）を表示する。映像出力部７の例として、液晶ディスプレイ、有機ＥＬ（Electro Luminescence）ディスプレイ（ＯＬＥＤ）、プラズマディスプレイ、及びプロジェクター等が挙げられる。映像出力部７は、過去の詳細イベント情報と、現在の詳細イベント情報とを比較した結果により、詳細イベント情報のうち、更新された箇所を強調表示する。
【００３０】
音声出力部８は、音声信号合成部６が合成した合成音声を出力する。音声出力部の例として、スピーカー等が挙げられる。
【００３１】
（受信装置３）
以下で、受信装置３について詳細に説明する。受信装置３は、チューナ９（請求項における受信部）、映像／音声／データ放送分離部１０（請求項における抽出部）、操作受付部１１、放送関連情報処理部１２（請求項における比較部）、及び記録部１３（請求項における録画部、詳細イベント情報記録部）を備えている。
【００３２】
チューナ９は、アンテナ２が受信した放送信号（データストリーム）を復調処理する。
【００３３】
映像／音声／データ放送分離部１０は、チューナ９が復調処理したデータストリームを、映像データと、音声データと、メタデータ（ＳＩ（Service Information））とに分離（逆多重化）し、分離したメタデータからコンテンツの詳細イベント情報を抽出する。特に、映像／音声／データ放送分離部１０は、メタデータにおけるEvent Message Tableから、コンテンツの詳細イベント情報を抽出する、
操作受付部１１は、ユーザによるリモコン１４のボタン操作を受け付ける。
【００３４】
放送関連情報処理部１２は、映像／音声／データ放送分離部１０が抽出したコンテンツの詳細イベント情報を参照して、ユーザへの提示用画像を生成する。特に、放送関連情報処理部１２は、記録部１３に記録されている過去の詳細イベント情報と、映像／音声／データ放送分離部１０が抽出した現在の詳細イベント情報とを比較する。
【００３５】
記録部１３は、映像／音声／データ放送分離部１０が抽出したコンテンツの詳細イベント情報、又は、放送関連情報処理部１２が生成した提示用画像を記録する。記録部１３は、コンテンツを、イベントＩＤ又はサブイベントＩＤによって指定される部分コンテンツ毎に録画する。記録部１３は、映像／音声／データ放送分離部１０が抽出した詳細イベント情報のうち、録画の対象となっている部分コンテンツに関連付いた情報を記録する。記録部１３の例として、メモリ等が挙げられる。
【００３６】
なお、受信装置３は、映像／音声／データ放送分離部１０が抽出した詳細イベント情報をユーザに提示する映像出力部７（請求項における提示部）を備えていてもよい。
【００３７】
（受信装置３による受信方法）
本実施形態に係る受信装置３により実行される受信方法の流れを、図３を参照して説明する。図３は、受信方法の流れを示すフローチャートである。
【００３８】
まず、アンテナ２は、外部から、コンテンツの映像データと、メタデータとを含むデータストリーム（放送信号）を受信し、チューナ９は、アンテナ２が受信したデータストリームを復調処理する（ステップＳ０）。ステップＳ０でＥＭＴも処理される。なお、ＥＭＴは、複数の競技、複数のコーナー等の詳細イベント情報を載せるために提供された訳ではない。しかしながら、発明者は、ＥＭＴが詳細イベント情報を載せることに利用可能であるという知見を得た。
【００３９】
次に、映像／音声／データ放送分離部１０は、受信したデータストリームに含まれるメタデータに、詳細イベント情報が処理対象として残っているか否かを判定する（ステップＳ１）。一例として、映像／音声／データ放送分離部１０は、図６に示すPrivate Data Byteに未処理の<EventDetail>があるか否かを判定する。
【００４０】
映像／音声／データ放送分離部１０が、詳細イベント情報が処理対象として残っていると判定した場合（ステップＳ１のＹＥＳ）、ステップＳ２に進む。映像／音声／データ放送分離部１０が、詳細イベント情報が処理対象として残っていないと判定した場合（ステップＳ１のＮＯ）、処理を終了する。
【００４１】
ステップＳ２において、映像／音声／データ放送分離部１０は、チューナ９が復調処理したデータストリームを、映像データと、音声データと、メタデータとに分離し、分離したメタデータからコンテンツの詳細イベント情報を抽出する。
【００４２】
なお、上記のコンテンツは、例えば、複数の競技又は複数のコーナーを含んでおり、当該複数の競技又は複数のコーナーがそれぞれ複数の番組で放送されているコンテンツであり得る。当該コンテンツの例として、オリンピックの中継又は２４時間放送の番組等の長時間放送番組等が挙げられる。
【００４３】
また、上記の詳細イベント情報は、コンテンツの個々の競技又は個々のコーナーについての詳細な番組情報、又は、当該番組情報の更新後の差分情報であり得る。詳細イベント情報には、上記コンテンツのサービスＩＤ、イベントＩＤ、サブイベントＩＤ、詳細イベント名、開始時刻、終了時刻、及び放送時間の長さの少なくとも何れかの情報が含まれている。
【００４４】
ステップＳ２の次の工程として、放送関連情報処理部１２は、受信したＥＭＴデータに含まれる詳細イベント情報と、録画中又は録画済の番組に付随したデータである録画データに含まれる詳細イベント情報とを比較して、それぞれのサービスＩＤ、それぞれのサブイベントＩＤが一致するか否かを判定する（ステップＳ３）。サービスＩＤは、図６に示すPrivate Data ByteのServiceIDに対応する。サブイベントＩＤは、図６に示すPrivate Data ByteのSubIDに対応する。
【００４５】
放送関連情報処理部１２が、それぞれのサービスＩＤ、それぞれのサブイベントＩＤが一致すると判定した場合（ステップＳ３のＹＥＳ）、ステップＳ４に進む。放送関連情報処理部１２が、それぞれのサービスＩＤ、それぞれのサブイベントＩＤが一致しないと判定した場合（ステップＳ３のＮＯ）、ステップＳ１に戻る。
【００４６】
ステップＳ４において、放送関連情報処理部１２は、現在録画中の詳細イベントのサブイベントＩＤにより、受信したＥＭＴデータに含まれる詳細イベント情報を検索して、該当する詳細イベント情報があるか否かを判定する。放送関連情報処理部１２が、現在録画中の詳細イベントのサブイベントＩＤに該当する詳細イベント情報があると判定した場合（ステップＳ４のＹＥＳ）、ステップＳ５に進む。放送関連情報処理部１２が、現在録画中の詳細イベントのサブイベントＩＤに該当する詳細イベント情報がないと判定した場合（ステップＳ４のＮＯ）、ステップＳ６に進む。
【００４７】
ステップＳ５において、記録部１３は、上記該当する詳細イベント情報を、既に保存されている、録画中の詳細イベント情報に上書きする（ステップＳ５）。これにより、録画中の詳細イベント情報を最新状態に保持することができる。ここで、「保存」とは、不揮発性メモリ（ハードディスク、フラッシュメモリ等）に記憶させることを意味する（以下、同様）。なお、記録部１３におけるデータの書き換え回数を減らすため、上記該当する詳細イベント情報を、既に保存されている詳細イベント情報と比較し、差異がある場合にのみ上書きしてもよい。
【００４８】
ステップＳ６において、記録部１３は、現在録画中の詳細イベントのサブイベントＩＤに該当しない詳細イベント情報を、新しい情報として、既に保存されている詳細イベント情報の末尾に追加する（ステップＳ６）。
【００４９】
ステップＳ５、Ｓ６の次の工程として、放送関連情報処理部１２は、ストリーム位置管理情報を変換する（ステップＳ７）。一例として、放送関連情報処理部１２は、詳細イベント情報に含まれる「放送開始時刻及び放送終了時刻」を、詳細イベントを含む親イベントの放送開始時刻からのオフセット値に変換する。
【００５０】
続いて、記録部１３は、変換後の「放送開始時刻及び放送終了時刻」を含む詳細イベント情報を保存する（ステップＳ８）。
【００５１】
（実施形態１の具体例）
以下で、受信装置３による受信方法の具体例を、図４〜９を参照して説明する。図４の（ａ）は、ステップ１において、映像／音声／データ放送分離部１０が映像データ及び音声データと分離したメタデータであるEvent_Message_Table（ＥＭＴ）のデータ構造の例を示す図である（ＡＲＩＢ  ＳＴＤ  Ｂ６０  §１１、ＡＲＩＢ  ＳＴＤ  ＴＲ−Ｂ３９を参照）。
【００５２】
また、図４の（ｂ）は、図４の（ａ）が示すＥＭＴにおけるEvent_Message_Descriptor（図４の（ａ）においてdescriptor()で示される）のデータ構造の例を示す図である（ＡＲＩＢ  ＳＴＤ  Ｂ６０  §１１、ＡＲＩＢ  ＳＴＤ  ＴＲ−Ｂ３９を参照）。ステップＳ１において、映像／音声／データ放送分離部１０は、図４の（ｂ）が示すEvent_Message_Descriptorに含まれるprivate_data_byteから、コンテンツの詳細イベント情報を抽出する。
【００５３】
図５は、private_data_byteのデータ構造の例を示す図である。図５が示すprivate_data_byteが含むコンテンツの詳細イベント情報を以下で説明する。
【００５４】
<Message>のタグは、ステップＳ３において、放送関連情報処理部１２が映像信号／ＯＳＤ合成部５、及び映像出力部７に指示して表示する「お知らせ」の文章を指定する。
【００５５】
<action>のタグは、ステップＳ４において、放送関連情報処理部１２が、ユーザがリモコン１４のボタンを押したことに伴う信号を操作受付部１１が受け付けたと判定した場合の処理を指定する。
【００５６】
<SeviceID>のタグは、コンテンツのサービスＩＤを指定する。<EventID>のタグは、コンテンツのイベントＩＤを指定する。
【００５７】
<begin>のタグは、コンテンツが含む個々の競技又はコーナー（詳細イベント）の開始時間を示す詳細イベント開始時間を指定する。<end>のタグは、コンテンツが含む個々の競技又はコーナーの終了時間を示す詳細イベント終了時間を指定する。
【００５８】
ステップＳ３において、放送関連情報処理部１２は、<begin>又は<end>のタグを参照して、その開始時間又は終了時間に現在時刻が近づいたことをトリガーとして、「お知らせ」を表示するように、映像信号／ＯＳＤ合成部５、及び映像出力部７に指示する。
【００５９】
<title>は、コンテンツが含む個々の競技又はコーナーのイベント名を示す詳細イベント名を指定する。
【００６０】
<SubID>のタグは、コンテンツが含む個々の競技又はコーナーのＩＤを指定する。<SubID>のタグを設けることにより、コンテンツが含む個々の競技又はコーナーの放送スケジュールが変更された場合であっても、当該変更を把握しやすくなる。
【００６１】
図６は、チャプタリストのデータ構造の例を示す図である。チャプタリストは、録画データ管理用のデータである。受信装置３の放送関連情報処理部１２は、private_data_byteをチャプタリストに変換する。チャプタリストは、private_data_byteのタグに加えて、<chapter id>、<start>、及び、<duration>を含んでいる。<chapter id>のタグは、チャプタリストに固有のＩＤを指定する。<start>のタグは、当該詳細イベントの開始時刻の、番組開始時刻からのオフセット値を指定する。<duration>のタグは、コンテンツが含む個々の競技又はコーナーの放送時間を示す詳細イベント放送時間を指定する。
【００６２】
放送関連情報処理部１２は、例えば、図５及び図６のSubIDがevent_101_10である詳細イベント情報に示すように、番組開始時刻を１１：００とすれば、<start>＝<begin>−１１：００により、<start ３：００>に変換する。そして、放送関連情報処理部１２は、<duration>＝<end>−<begin>により、<duration ０：３０>に変換する。
【００６３】
なお、放送関連情報処理部１２は、private_data_byteをチャプタリストに変換するではなく、private_data_byteをストリームインデックス管理情報、録画機のデータ形式等に変換してもよい。また、未来の詳細イベント情報は変更になる可能性があるので、番組に含まれる詳細イベント情報を一括で保存するのではなく、過去になった詳細イベント情報を保存してもよい。
【００６４】
図７は、チャプタリスト表示の具体例を示す図である。図７に示すように、吹き出しによりchapter idが表示され、帯状の時間帯の中にtitleが表示されている。
【００６５】
図８は、録画番組再生時の表示の具体例を示す図である。図８に示すように、黒の三角形が再生位置を示し、逆三角形が詳細イベント情報に基づくチャプタを示す。
【００６６】
図９は、他の番組の詳細イベント情報を保存した場合の表示の具体例を示す図である。図９（ａ）は、他サービスの詳細イベント情報を別に表示する例を示す。図９（ｂ）は、他サービスの詳細イベント情報を重ねて表示する例を示す。
【００６７】
図９（ａ）に示すように、映像出力部７は、再生視聴中の詳細イベント情報とは別の箇所に、他サービスの詳細イベント情報を表示する。これによれば、他サービスの詳細イベント情報の表示により、再生視聴中の映像の表示面積が狭くなり、ユーザは当該映像を十分に視聴することができない。
【００６８】
それに対して、図９（ｂ）に示すように、映像出力部７は、再生視聴中の詳細イベント情報に重ねて、他サービスの詳細イベント情報を表示する。これによれば、再生視聴中の映像の表示面積が狭くなることはなく、ユーザは当該映像を十分に視聴することができる。
【００６９】
（実施形態１のまとめ）
以上のように、本実施形態に係る受信装置３は、コンテンツの映像データと、メタデータとを含むデータストリームを受信し、メタデータからコンテンツの詳細イベント情報を抽出し、コンテンツを、イベントＩＤ又はサブイベントＩＤによって指定される部分コンテンツ毎に録画し、抽出した詳細イベント情報のうち、録画の対象となっている部分コンテンツに関連付いた情報を記録する。これにより、録画の対象となっている部分コンテンツに関連付いた情報を記録するので、コンテンツに複数の詳細イベントが含まれている場合に、詳細イベント毎に情報を処理することができる。特に、受信装置３は、各詳細イベントの、コンテンツの開示時刻からのオフセット値、又は、ストリームインデックス管理情報を記録することにより、各詳細イベントの頭出しを容易に行うことができる。
【００７０】
また、本実施形態に係る受信装置３は、抽出した詳細イベント情報をユーザに提示する。これにより、詳細イベント情報をユーザに提示することができる。
【００７１】
また、本実施形態に係る受信装置３は、メタデータにおけるEvent Message Table（ＥＭＴ）から、コンテンツの詳細イベント情報を抽出する。これにより、放送波を介してＥＭＴを取得するため、インターネットに接続されていない受信機でも、コンテンツの個々の競技又はコーナーについて詳細な情報を取得することができる。また、ＥＰＧを表示せずに、個々の競技又はコーナーについての詳細な情報を表示することで、視聴者は、ＥＰＧ表示を経ることなく、視聴中の番組から、当該番組と関連する番組を放送している別のチャンネルに簡単に選局可能となる。
【００７２】
また、本実施形態に係る受信装置３は、記録部１３に記録されている過去の詳細イベント情報と、映像／音声／データ放送分離部１０が抽出した現在の詳細イベント情報とを比較し、詳細イベント情報のうち、更新された箇所を強調表示する。これにより、過去の詳細イベント情報から現在の詳細イベント情報への更新箇所を強調表示するので、当該更新箇所を明確に表示することができる。
【００７３】
〔実施形態２〕
本発明の実施形態２について、図１０に基づいて説明すれば、以下のとおりである。なお、説明の便宜上、実施形態１及び２にて説明した部材と同じ機能を有する部材については、同じ符号を付記し、その説明を省略する。
【００７４】
（送受信システム３０）
本実施形態に係る送受信システム３０について、図１０を参照して説明する。図１０は、本実施形態に係る送受信システム３０の構成を示すブロック図である。図１０が示すように、送受信システム３０は、実施形態１に係る受信装置３と、送出装置３１とを備えている。なお、受信装置３についての詳細な図示及び説明は省略する。
【００７５】
（送出装置３１）
以下で、送出装置３１について詳細に説明する。送出装置３１は、ＳＩ生成部３２、ＡＶエンコード部３３、多重化処理部３４、暗号化処理部３５、変調処理部３６（部材番号３２〜３６の部材が、請求項における生成部に相当する）、及び送信部３７（請求項における送出部）を備えている。
【００７６】
ＳＩ生成部３２は、外部から、コンテンツの詳細イベント情報を取得し、当該詳細イベント情報を含むメタデータ（ＳＩ（Service Information））を生成する。
【００７７】
ＡＶエンコード部３３は、外部から、映像データ及び音声データをそれぞれ取得し、取得した映像データ及び音声データをそれぞれ符号化する。
【００７８】
多重化処理部３４は、ＳＩ生成部３２が生成したメタデータとＡＶエンコード部３３が符号化した映像データ及び音声データとを多重化処理することにより、多重化データを生成する。
【００７９】
暗号化処理部３５は、多重化処理部３４が多重化した多重化データを暗号化することにより、暗号化データを生成する。
【００８０】
変調処理部３６は、暗号化処理部３５が暗号化した暗号化データを変調処理することにより、放送信号（請求項におけるデータストリーム）を生成する。
【００８１】
送信部３７は、変調処理部３６が変調処理した放送信号（請求項におけるデータストリーム）を、受信装置３に送信する。
【００８２】
（送出装置３１による送出方法）
本実施形態に係る送出装置３１により実行される送出方法の流れを、図１１を参照して説明する。図１１は、送出方法の流れを示すフローチャートである。
【００８３】
まず、ＳＩ生成部３２は、外部から、コンテンツの詳細イベント情報を取得し、当該詳細イベント情報を含むメタデータ（ＳＩ（Service Information））を生成する（ステップＳ３０）。
【００８４】
なお、上記のコンテンツは、例えば、複数の競技又は複数のコーナーを含んでおり、当該複数の競技又は複数のコーナーがそれぞれ複数の番組で放送されているコンテンツであり得る。当該コンテンツの例として、オリンピックの中継又は２４時間放送の番組等の長時間放送番組等が挙げられる。
【００８５】
また、上記の詳細イベント情報は、コンテンツの個々の競技又は個々のコーナーについての詳細な番組情報、又は、当該番組情報の更新後の差分情報であり得る。詳細イベント情報の例として、上記コンテンツのサービスＩＤ、イベントＩＤ、サブイベントＩＤ、詳細イベント名、開始時刻、終了時刻、及び放送時間の長さ等が挙げられる。
【００８６】
ステップＳ３０の次の工程として、ＡＶエンコード部３３は、外部から、映像データ及び音声データをそれぞれ取得し、取得した映像データ及び音声データをそれぞれ符号化する（ステップＳ３１）。
【００８７】
次に、多重化処理部３４は、ＳＩ生成部３２が生成したメタデータとＡＶエンコード部３３が符号化した映像データ及び音声データとを多重化処理することにより、多重化データを生成する（ステップＳ３２）。
【００８８】
次に、暗号化処理部３５は、多重化処理部３４が多重化した多重化データを暗号化することにより、暗号化データを生成する（ステップＳ３３）。
【００８９】
次に、変調処理部３６は、暗号化処理部３５が暗号化した暗号化データを変調処理することにより、放送信号（請求項におけるデータストリーム）を生成する（ステップＳ３４）。
【００９０】
次に、送信部３７は、変調処理部３６が変調処理した放送信号（請求項におけるデータストリーム）を、受信装置３に送信する（ステップＳ３５）。
【００９１】
そして、送信部３７が送信した放送信号を受信した受信装置３は、実施形態１又は実施形態２で説明した受信方法を実行する。
【００９２】
（実施形態２のまとめ）
以上のように、本実施形態に係る送出装置３１は、コンテンツの詳細イベント情報を含ませたメタデータと、コンテンツの映像データとを含むデータストリームを生成し、当該データストリームを送出する。これにより、コンテンツが複数の競技又は複数のコーナーを含んでおり、当該複数の競技又は複数のコーナーがそれぞれ複数の番組で放送されている場合でも、送出したデータストリームを受信した受信装置において、個々の競技又はコーナーについて、詳細な情報を取得することができる。
【００９３】
また、本実施形態に係る送出装置３１と、実施形態１に係る受信装置３とを含む送受信システム３０は、送出装置３１が、メタデータに、コンテンツの詳細イベント情報を含ませ、受信装置３が、メタデータからコンテンツの詳細イベント情報を抽出し、コンテンツを、イベントＩＤ又はサブイベントＩＤによって指定される部分コンテンツ毎に録画し、抽出した詳細イベント情報のうち、録画の対象となっている部分コンテンツに関連付いた情報を記録する。これにより、当該システムにおいて、実施形態１に係る受信装置３と、実施形態２に係る送出装置３１とが、上述の各効果を奏する。
【００９４】
〔ソフトウェアによる実現例〕
受信装置３及び送出装置３１の制御ブロック（特に、受信装置３の放送関連情報処理部１２、並びに送出装置３１のＳＩ生成部３２）は、それぞれ、集積回路（ＩＣチップ）等に形成された論理回路（ハードウェア）によって実現してもよいし、ＣＰＵ（Central Processing Unit）を用いてソフトウェアによって実現してもよい。
【００９５】
後者の場合、受信装置３及び送出装置３１は、それぞれ、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９６】
〔まとめ〕
本発明の態様１に係る受信装置（３）は、コンテンツの映像データと、メタデータとを含むデータストリームを受信する受信部（アンテナ２、チューナ９）と、上記メタデータから上記コンテンツの詳細イベント情報を抽出する抽出部と、上記コンテンツを、イベントＩＤ又はサブイベントＩＤによって指定される部分コンテンツ毎に録画する録画部（記録部１３）と、上記抽出部が抽出した詳細イベント情報のうち、上記録画部による録画の対象となっている部分コンテンツに関連付いた情報を記録する詳細イベント情報記録部（記録部１３）と、を備えている。
【００９７】
上記の構成によれば、録画の対象となっている部分コンテンツに関連付いた情報を記録するので、コンテンツに複数の詳細イベントが含まれている場合に、詳細イベント毎に情報を処理することができる。
【００９８】
本発明の態様２に係る受信装置は、上記態様１において、上記抽出部が抽出した詳細イベント情報をユーザに提示する提示部（映像出力部７）を更に備えていてもよい。
【００９９】
上記の構成によれば、詳細イベント情報をユーザに提示することができる。
【０１００】
本発明の態様３に係る受信装置は、上記態様１、２において、上記抽出部が、上記メタデータにおけるEvent Message Tableから、上記コンテンツの詳細イベント情報を抽出してもよい。
【０１０１】
上記の構成によれば、Event Message Tableを用いるので、コンテンツの詳細イベント情報を容易に抽出することができる。
【０１０２】
本発明の態様４に係る受信装置は、上記態様２において、上記詳細イベント情報記録部に記録されている過去の詳細イベント情報と、上記抽出部が抽出した現在の詳細イベント情報とを比較する比較部（放送関連情報処理部１２）を備え、上記提示部は、詳細イベント情報のうち、更新された箇所を強調表示してもよい。
【０１０３】
上記の構成によれば、過去の詳細イベント情報から現在の詳細イベント情報への更新箇所を強調表示するので、当該更新箇所を明確に表示することができる。
【０１０４】
本発明の態様５に係る受信装置は、上記態様１から４において、上記詳細イベント情報に、上記コンテンツのサービスＩＤ、イベントＩＤ，サブイベントＩＤ、詳細イベント名、開始時刻、終了時刻、及び放送時間の長さの少なくとも何れかの情報が含まれていてもよい。
【０１０５】
本発明の態様６に係るテレビジョン受像機（１）は、上記態様１から５における受信装置を備えている。
【０１０６】
本発明の態様７に係る受信方法は、受信装置による受信方法であって、コンテンツの映像データと、メタデータとを含むデータストリームを受信する受信工程と、上記メタデータから上記コンテンツの詳細イベント情報を抽出する抽出工程と、上記コンテンツを、イベントＩＤ又はサブイベントＩＤによって指定される部分コンテンツ毎に録画する録画工程と、上記抽出工程で抽出した詳細イベント情報のうち、上記録画工程における録画の対象となっている部分コンテンツに関連付いた情報を記録する詳細イベント情報記録工程と、を含む。
【０１０７】
本発明の態様８に係る送受信システム（３０）は、コンテンツの映像データ、及びメタデータを含むデータストリームを生成する生成部（ＳＩ生成部３２、ＡＶエンコード部３３、多重化処理部３４、暗号化処理部３５及び変調処理部３６）、並びに上記生成部が生成したデータストリームを送出する送出部（送信部３７）、を備えた送出装置（３１）と、上記送出装置が送出した上記データストリームを受信する受信部（チューナ９）を備えた受信装置（３）と、を含む送受信システムであって、上記生成部が、上記メタデータに、上記コンテンツの詳細イベント情報を含ませ、上記受信装置が、上記メタデータから上記コンテンツの詳細イベント情報を抽出する抽出部（映像／音声／データ放送分離部１０）と、上記コンテンツを、イベントＩＤ又はサブイベントＩＤによって指定される部分コンテンツ毎に録画する録画部（記録部１３）と、上記抽出部が抽出した詳細イベント情報のうち、上記録画部による録画の対象となっている部分コンテンツに関連付いた情報を記録する詳細イベント情報記録部（記録部１３）と、をさらに備えている。
【０１０８】
本発明の各態様に係る受信装置は、コンピュータによって実現してもよく、この場合には、コンピュータを上記受信装置が備える各部（ソフトウェア要素）として動作させることにより上記受信装置をコンピュータにて実現させる受信装置の制御プログラム、及びそれを記録したコンピュータ読み取り可能な記録媒体も、本発明の範疇に入る。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１０】
１  テレビジョン受像機
２  アンテナ（受信部）
３  受信装置
４  映像／音声デコード部
５  映像信号／ＯＳＤ合成部
６  音声信号合成部
７  映像出力部（提示部）
８  音声出力部
９  チューナ（受信部）
１０  映像／音声／データ放送分離部（抽出部）
１１  操作受付部
１２  放送関連情報処理部（比較部）
１３  記録部（録画部、詳細イベント情報記録部）
１４  リモコン
３０  送受信システム
３１  送出装置
３２  ＳＩ生成部（生成部）
３３  ＡＶエンコード部（生成部）
３４  多重化処理部（生成部）
３５  暗号化処理部（生成部）
３６  変調処理部（生成部）
３７  送信部（送出部）
【図１】
2018129703.tif 000003
【図２】
2018129703.tif 000004
【図３】
2018129703.tif 000005
【図４】
2018129703.tif 000006
【図５】
2018129703.tif 000007
【図６】
2018129703.tif 000008
【図７】
2018129703.tif 000009
【図８】
2018129703.tif 000010
【図９】
2018129703.tif 000011
【図１０】
2018129703.tif 000012
【図１１】
2018129703.tif 000013